(57)【要約】【課題】直棒状線香を破損させてしまうことなく容易に取り出すことを可能とし、かつ、線香を収容する箱として、高級感を得られ、線香を整然と並べた状態で収容することを可能とする。【解決手段】箱本体部７に対し開閉自在な蓋面部８を備えた桐材よりなる収納箱１であって、箱本体部７の内部に、線香４０の外径と略同等の深さ及び幅長よりなる凹溝２８を切削加工により互いに平行として複数形成し、線香４０を１本ずつ個別に収容可能とするとともに、各凹溝２８の一側縁を、各凹溝２８とともに所定角度の傾斜面２９に切削形成し、線香４０の一端４０ａを傾斜面２９より突出させて収容状態とする桐材よりなる中板２７と、中板２７を箱本体部７の内底面より浮かせて空間部３１を形成し、蓋面部８内面に中板２７の凹溝２８を有する面２７ａを近接させて配置させる段部２４とを備える。【選択図】　　　　図１
0003098910.tif 000002
【実用新案登録請求の範囲】
【請求項１】
箱本体部に対し開閉自在な蓋面部を備えた木材板よりなる収納箱であって、前記箱本体部の内部に、線香の外径と略同等の深さ及び幅長よりなる凹溝を切削加工により互いに平行として複数形成し、前記線香を１本ずつ個別に収容可能とするとともに、前記各凹溝の少なくとも一端側となる一側縁を、各凹溝とともに所定角度の傾斜面に切削形成し、前記線香の一端を前記傾斜面より突出させて収容状態とする木質材よりなる中板を備えたことを特徴とする収納箱。
【請求項２】
箱本体部に対し開閉自在な蓋面部を備えた木材板よりなる収納箱であって、前記箱本体部の内部に、
線香の外径と略同等の深さ及び幅長よりなる凹溝を切削加工により互いに平行として複数形成し、前記線香を１本ずつ個別に収容可能とするとともに、前記各凹溝の少なくとも一端側となる一側縁を、各凹溝とともに所定角度の傾斜面に切削形成し、前記線香の一端を前記傾斜面より突出させて収容状態とする木質材よりなる中板と、
該中板を前記箱本体部の内底面より浮かせて空間部を形成し、前記蓋面部内面に前記中板の凹溝を有する面を近接させて配置させる段部と、
を備えたことを特徴とする収納箱。
【請求項３】
可撓性を有するシート状基材の一方の面に、所定厚さの木材板よりなる木材層を備えた板材より構成され、前面部，底面部，背面部，蓋面部となる各面部を、前記シート状基材を残して略９０°のＶ字状の溝をそれぞれ平行に複数切削形成して得るとともに、該溝に直交する両側端縁に板厚の幅と略同幅長の段落ち部を形成し、前記各溝の位置で、前記シート状基材を表面として折曲し、前記背面部と蓋面部との間の溝を除く前記各溝を接着剤にて折曲状態で固定して稜線部分を形成するとともに、前記前面部，底面部，背面部における前記段落ち部に位置して左右側板を接着固定して箱本体部を構成して、前記背面部に前記溝を介して連続する前記蓋面部を開閉自在とし、該蓋面部の閉鎖時に該蓋面部の両側端縁における前記段落ち部が、前記左右側板の上端縁に当接される箱体と、
該箱本体部の内部に取り付けられ、線香の外径と略同等の深さ及び幅長よりなる凹溝を切削加工により互いに平行として複数形成し、前記線香を１本ずつ個別に収容可能とするとともに、前記各凹溝の少なくとも一端側となる一側縁を、各凹溝とともに所定角度の傾斜面に切削形成し、前記線香の一端を前記傾斜面より突出させて収容状態とする木質材よりなる中板と、
該中板を前記箱本体部の内底面より浮かせて空間部を形成し、前記蓋面部内面に前記中板の凹溝を有する面を近接させて配置させる段部と、
を具備することを特徴とする収納箱。
【請求項４】
可撓性を有するシート状基材の一方の面に所定厚さの木材板よりなる木材層を備えた板材より構成され、前面部，底面部，背面部，蓋面部，手掛け部となる各面部を、前記シート状基材を残して略９０°のＶ字状の溝をそれぞれ平行に複数切削形成して得るとともに、該溝に直交する両側端縁に板厚の幅と略同幅長の段落ち部を形成し、前記各溝の位置で、前記シート状基材を表面として折曲し、前記背面部と蓋面部との間の溝を除く前記各溝を接着剤にて折曲状態で固定して稜線部分を形成するとともに、前記前面部，底面部，背面部における前記段落ち部に位置して左右側板を接着固定して箱本体部を構成して、前記背面部に前記溝を介して連続する前記蓋面部を開閉自在とし、該蓋面部の閉鎖時に該蓋面部の両側端縁における前記段落ち部が、前記左右側板の上端縁に当接し、前記手掛け部が前面部の外側に位置される箱体と、
該箱本体部の内部に取り付けられ、線香の外径と略同等の深さ及び幅長よりなる凹溝を切削加工により互いに平行として複数形成し、前記線香を１本ずつ個別に収容可能とするとともに、前記各凹溝の少なくとも一端側となる一側縁を、各凹溝とともに所定角度の傾斜面に切削形成し、前記線香の一端を前記傾斜面より突出させて収容状態とする木質材よりなる中板と、
該中板を前記箱本体部の内底面より浮かせて空間部を形成し、前記蓋面部内面に前記中板の凹溝を有する面を近接させて配置させる段部と、
を具備することを特徴とする収納箱。
【請求項５】
可撓性を有するシート状基材の一方の面に所定厚さの木材板よりなる木材層を備えた板材より構成され、前面部，底面部，背面部，蓋面部，手掛け部となる各面部を、前記シート状基材を残して略９０°のＶ字状の溝をそれぞれ平行に複数切削形成して得るとともに、該溝に直交する両側端縁に板厚の幅と略同幅長の段落ち部を形成し、前記各溝の位置で、前記シート状基材を表面として折曲し、前記背面部と蓋面部との間の溝を除く前記各溝を接着剤にて折曲状態で固定して稜線部分を形成するとともに、前記前面部，底面部，背面部における前記段落ち部に位置して左右側板を接着固定して箱本体部を構成して、前記背面部に前記溝を介して連続する前記蓋面部を開閉自在とし、該蓋面部の閉鎖時に該蓋面部の両側端縁における前記段落ち部が、前記左右側板の上端縁に当接し、前記手掛け部が前面部と略面一となって位置される箱体と、
該箱本体部の内部に取り付けられ、線香の外径と略同等の深さ及び幅長よりなる凹溝を切削加工により互いに平行として複数形成し、前記線香を１本ずつ個別に収容可能とするとともに、前記各凹溝の少なくとも一端側となる一側縁を、各凹溝とともに所定角度の傾斜面に切削形成し、前記線香の一端を前記傾斜面より突出させて収容状態とする木質材よりなる中板と、
該中板を前記箱本体部の内底面より浮かせて空間部を形成し、前記蓋面部内面に前記中板の凹溝を有する面を近接させて配置させる段部と、
を具備することを特徴とする収納箱。
【請求項６】
前記シート状基材が、和紙よりなることを特徴とする請求項３又は４又は５記載の収納箱。
【請求項７】
前記シート状基材が、布よりなることを特徴とする請求項３又は４又は５記載の収納箱。
【請求項８】
前記シート状基材が、紙と合成樹脂シートとの層状シート材よりなることを特徴とする請求項３又は４又は５記載の収納箱。
【請求項９】
前記木材板及び中板が、桐材よりなることを特徴とする請求項１，２，３，４，５，６，７，８のいずれか１つに記載の収納箱。
【請求項１０】
前記箱本体部内には、内部を所定数に分割する仕切板が設けられることを特徴とする請求項１，２，３，４，５，６，７，８，９のいずれか１つに記載の収納箱。
【請求項１１】
前記中板には、略中央に指等が貫通可能な指掛け穴が穿設されていることを特徴とする請求項１，２，３，４，５，６，７，８，９，１０のいずれか１つに記載の収納箱。
【考案の詳細な説明】
【０００１】
【考案の属する技術分野】
本考案は、直棒状の線香を収容する収納箱に関するものである。
【０００２】
【従来の技術】
直棒状の線香などの収納箱としては、一般に偏平な箱体であり、板紙などの厚みのある紙を素材としているものが多い。そして、線香は、その内部に、バラ詰め、或いは複数本を帯状紙にて束ねた状態として収納される。
【０００３】
このような線香の収容方法は、大量の線香を保存，包装する際には適当であるが、近年、仏事用の線香とは異なる、嗜好品として楽しむ香水線香の収容には不向きである。すなわち、この香水線香は、高級な香料等を用いて製造され、少量を収容した形態で販売されるもので、新たな包装方法の構造を求められている。このような高級線香の包装及び収納用の収納箱としては、下記特許文献１に開示されるような線香包装用基材などがある。この線香包装用基材は、合成樹脂製の薄板材や、厚口紙より構成され、線香を一本ずつ支持する切込溝を備えた板状支材を一対設けた構造となっている。
【０００４】
【特許文献１】
実用新案登録第３００９０２３号公報
【０００５】
【考案が解決しようとする課題】
しかしながら、上述した特許文献１の包装用基材では、線香を一本ずつ取り出し易くするために、個別に支持している構造が、線香の両端近傍のみを支持し、線香自体を底部より浮かせた状態で収納する構造となっており、このことから、線香を取り出す際に、強度が低く折れ易い線香の中間部分を誤って折ってしまうおそれがある。
【０００６】
また、この包装用基材は、厚紙や合成樹脂などで構成されており、収納される高級感を持たせた線香に比べ、高級感に乏しく、また意匠性にも優れてなく、高級感のある収納箱が望まれている。
【０００７】
さらに、線香の形態として、通常、１０〜１５ｃｍの長さのものであるが、近年では１０ｃｍ以下の短尺なものがあり、すなわち、お香として楽しむ時間を短く設定するための所望の長さとして構成される線香があり、このような線香では上記のような収納箱（包装用基材）では整然と収容することができないという欠点がある。
【０００８】
そこで本考案は、上記問題点を解消するために、直棒状線香を破損させてしまうことなく容易に取り出すことの可能な収納箱を得るとともに、線香を収容する箱として、高級感を得られ、線香を整然と並べた状態で収容することのできる収納箱を得ることを目的としている。また、収納箱として、容易に製造可能であり、十分な剛性を持ち、密閉性の良好な収納箱を提供することを目的としている。
【０００９】
【課題を解決するための手段】
次に、上記の目的を達成するための手段を、実施の形態に対応する図面を参照して説明する。
この考案の請求項１記載の収納箱は、箱本体部７に対し開閉自在な蓋面部８を備えた木材板よりなる収納箱１であって、前記箱本体部７の内部に、線香４０の外径と略同等の深さ及び幅長よりなる凹溝２８を切削加工により互いに平行として複数形成し、前記線香４０を１本ずつ個別に収容可能とするとともに、前記各凹溝２８の少なくとも一端側となる一側縁を、各凹溝２８とともに所定角度の傾斜面２９に切削形成し、前記線香４０の一端４０ａを前記傾斜面２９より突出させて収容状態とする木質材よりなる中板２７を備えたことを特徴とする。
【００１０】
請求項２記載の収納箱は、箱本体部７に対し開閉自在な蓋面部８を備えた木材板よりなる収納箱１であって、前記箱本体部７の内部に、
線香４０の外径と略同等の深さ及び幅長よりなる凹溝２８を切削加工により互いに平行として複数形成し、前記線香４０を１本ずつ個別に収容可能とするとともに、前記各凹溝２８の少なくとも一端側となる一側縁を、各凹溝２８とともに所定角度の傾斜面２９に切削形成し、前記線香４０の一端４０ａを前記傾斜面２９より突出させて収容状態とする木質材よりなる中板２７と、
該中板２７を前記箱本体部７の内底面より浮かせて空間部３１を形成し、前記蓋面部８内面に前記中板２７の凹溝２８を有する面２７ａを近接させて配置させる段部２４と、
を備えたことを特徴とする。
【００１１】
請求項３記載の収納箱は、可撓性を有するシート状基材１１の一方の面１１ａに、所定厚さの木材板１６よりなる木材層１２を備えた板材１３より構成され、前面部２，底面部３，背面部４，蓋面部８となる各面部を、前記シート状基材１１を残して略９０°のＶ字状の溝２３をそれぞれ平行に複数切削形成して得るとともに、該溝２３に直交する両側端縁に板厚の幅と略同幅長の段落ち部１０を形成し、前記各溝２３の位置で、前記シート状基材１１を表面として折曲し、前記背面部４と蓋面部８との間の溝２３を除く前記各溝２３を接着剤にて折曲状態で固定して稜線部分を形成するとともに、前記前面部２，底面部３，背面部４における前記段落ち部１０に位置して左右側板２１を接着固定して箱本体部７を構成して、前記背面部４に前記溝２３を介して連続する前記蓋面部８を開閉自在とし、該蓋面部８の閉鎖時に該蓋面部８の両側端縁における前記段落ち部１０が、前記左右側板２１の上端縁に当接される箱体２０と、
該箱本体部７の内部に取り付けられ、線香４０の外径と略同等の深さ及び幅長よりなる凹溝２８を切削加工により互いに平行として複数形成し、前記線香４０を１本ずつ個別に収容可能とするとともに、前記各凹溝２８の少なくとも一端側となる一側縁を、各凹溝２８とともに所定角度の傾斜面２９に切削形成し、前記線香４０の一端を前記傾斜面２９より突出させて収容状態とする木質材よりなる中板２７と、
該中板２７を前記箱本体部７の内底面より浮かせて空間部３１を形成し、前記蓋面部８内面に前記中板２７の凹溝２８を有する面を近接させて配置させる段部２４と、
を具備することを特徴とする。
【００１２】
請求項４記載の収納箱は、可撓性を有するシート状基材１１の一方の面１１ａに所定厚さの木材板１６よりなる木材層１２を備えた板材１３より構成され、前面部２，底面部３，背面部４，蓋面部８，手掛け部９となる各面部を、前記シート状基材１１を残して略９０°のＶ字状の溝２３をそれぞれ平行に複数切削形成して得るとともに、該溝２３に直交する両側端縁に板厚の幅と略同幅長の段落ち部１０を形成し、前記各溝２３の位置で、前記シート状基材１１を表面として折曲し、前記背面部４と蓋面部８との間の溝２３を除く前記各溝２３を接着剤にて折曲状態で固定して稜線部分を形成するとともに、前記前面部２，底面部３，背面部４における前記段落ち部１０に位置して左右側板２１を接着固定して箱本体部７を構成して、前記背面部４に前記溝２３を介して連続する前記蓋面部８を開閉自在とし、該蓋面部８の閉鎖時に該蓋面部８の両側端縁における前記段落ち部１０が、前記左右側板２１の上端縁に当接し、前記手掛け部９が前面部２の外側に位置される箱体２０と、
該箱本体部７の内部に取り付けられ、線香４０の外径と略同等の深さ及び幅長よりなる凹溝２８を切削加工により互いに平行として複数形成し、前記線香４０を１本ずつ個別に収容可能とするとともに、前記各凹溝２８の少なくとも一端側となる一側縁を、各凹溝２８とともに所定角度の傾斜面２９に切削形成し、前記線香４０の一端４０ａを前記傾斜面２９より突出させて収容状態とする木質材よりなる中板２７と、
該中板２７を前記箱本体部７の内底面より浮かせて空間部３１を形成し、前記蓋面部８内面に前記中板２７の凹溝２８を有する面を近接させて配置させる段部２４と、
を具備することを特徴とする。
【００１３】
請求項５記載の収納箱は、可撓性を有するシート状基材１１の一方の面に所定厚さの木材板１６よりなる木材層１２を備えた板材１３より構成され、前面部２，底面部３，背面部４，蓋面部８，手掛け部９となる各面部を、前記シート状基材１１を残して略９０°のＶ字状の溝２３をそれぞれ平行に複数切削形成して得るとともに、該溝２３に直交する両側端縁に板厚の幅と略同幅長の段落ち部１０を形成し、前記各溝２３の位置で、前記シート状基材１１を表面として折曲し、前記背面部４と蓋面部８との間の溝２３を除く前記各溝２３を接着剤にて折曲状態で固定して稜線部分を形成するとともに、前記前面部２，底面部３，背面部４における前記段落ち部１０に位置して左右側板２１を接着固定して箱本体部７を構成して、前記背面部４に前記溝２３を介して連続する前記蓋面部８を開閉自在とし、該蓋面部８の閉鎖時に該蓋面部８の両側端縁における前記段落ち部１０が、前記左右側板２１の上端縁に当接し、前記手掛け部９が前面部２と略面一となって位置される箱体２０と、
該箱本体部７の内部に取り付けられ、線香４０の外径と略同等の深さ及び幅長よりなる凹溝２８を切削加工により互いに平行として複数形成し、前記線香４０を１本ずつ個別に収容可能とするとともに、前記各凹溝２８の少なくとも一端側となる一側縁を、各凹溝２８とともに所定角度の傾斜面２９に切削形成し、前記線香４０の一端４０ａを前記傾斜面２９より突出させて収容状態とする木質材よりなる中板２７と、
該中板２７を前記箱本体部７の内底面より浮かせて空間部３１を形成し、前記蓋面部８内面に前記中板２７の凹溝２８を有する面を近接させて配置させる段部２４と、
を具備することを特徴とする。
【００１４】
請求項６記載の収納箱は、請求項３又は４又は５記載の収納箱１において、前記シート状基材１１が、和紙よりなることを特徴とする。
【００１５】
請求項７記載の収納箱は、請求項３又は４又は５記載の収納箱１において、前記シート状基材１１が、布よりなることを特徴とする。
【００１６】
請求項８記載の収納箱は、請求項３又は４又は５記載の収納箱１において、前記シート状基材１１が、紙１４と合成樹脂シート１５との層状シート材よりなることを特徴とする。
【００１７】
請求項９記載の収納箱は、請求項１，２，３，４，５，６，７，８のいずれか１つに記載の収納箱１において、前記木材板１６及び中板２７が、桐材よりなることを特徴とする。
【００１８】
請求項１０記載の収納箱は、請求項１，２，３，４，５，６，７，８，９のいずれか１つに記載の収納箱において、前記箱本体部７内には、内部を所定数に分割する仕切板１８が設けられることを特徴とする。
【００１９】
請求項１１記載の収納箱は、請求項１，２，３，４，５，６，７，８，９，１０のいずれか１つに記載の収納箱１において、前記中板２７には、略中央に指等が貫通可能な指掛け穴３０が穿設されていることを特徴とする。
。
【００２０】
【考案の実施の形態】
図１は本考案による収納箱の蓋面部を開放した状態の斜視図、図２は同収納箱の側断面図、図３は同収納箱の正断面図である。
まず、本考案の収納箱の構造の説明をする。
【００２１】
収納箱１は、箱体２０と、仕切板１８と、段部２４と、中板２７とで大略構成される。
図１に示すように、箱体２０は、本実施の形態では、略方形箱状であり、前面部２，底面部３，背面部４及び左右側面部５，６にて構成される箱本体部７と、この箱本体部７の上部開口部分に開閉自在となる蓋面部８を備えている。また、この蓋面部８の手前側には、蓋面部８の前端縁８ａより延設され、箱本体部７の前面部２外側に位置する手掛け部９を備えている。
【００２２】
各面部２，３，４，５，６，８及び手掛け部９は、シート状基材１１の一方の面１１ａに木材板よりなる木材層１２を備えた板材１３より構成されている。
シート状基材１１は、可撓性を有する素材よりなり、本実施の形態では、紙１４と合成樹脂シート１５とを層状に重合形成したものとされ、合成樹脂シート１５を箱１としての表面となるように構成される。なお、この合成樹脂シート１５は、無色透明や無色半透明、着色透明、木目調の模様や所望のデザイン等が施され、またその表面を平滑に形成したり、梨子地状に形成などした例えば塩化ビニル樹脂製シートなどの化粧シートよりなる。
【００２３】
また、木材層１２を構成する木材板１６は、所定の厚さの木材板１６であり、本実施の形態では、例えば約３ｍｍの厚さの桐板材よりなる。
そして、シート状基材１１の一方の面１１ａとなる紙面に、接着剤にて積層状に木材板１６が貼着固定され、板材１３とされている。
【００２４】
箱本体部７の前面部２，底面部３，背面部４及び、蓋面部８，手掛け部９は、その外側面に、シート状基材１１が連続しており、化粧シート１５が外表面とされている。また、箱本体部７を構成する側面部５，６も同様に外表面が化粧シート１５とされる。
【００２５】
蓋面部８を閉鎖した状態では、図３に示すように、蓋面部８の両側端縁に形成される段落ち部１０，１０が、左右両側面部５，６の上端縁５ａ，６ａに当接し、これら段落ち部１０，１０の間となる厚板部８ｂが両側面部５，６間に嵌まり、すなわち内嵌め状態となって、密閉状態となる。また、図２に示すように、手掛け部９が前面部２の外側に位置し、この前面部２の外表面に、手掛け部９の内面側が密着状態となる。
【００２６】
仕切板１８は、上記箱本体部７の木材板１６と同等の素材である桐材よりなり、箱本体部７の内部を仕切る。本実施の形態では、図３に示すように、側面部５，６と平行とされ、箱本体部７内を比較的広い部分１９Ａと、比較的狭い部分１９Ｂとで区切るように固定される。なお、箱本体部７に対しては、接着剤などを用いて底面に対して垂直に取り付けられる。
【００２７】
段部２４は、箱本体部７の内部に対向して配置される。本実施の形態では、箱本体部７の前面部２と背面部４との対向する内面にそれぞれ設けられている。各段部２４は、上記仕切板１８同様の箱本体部７の木材板１６と同等の桐材よりなる板材２５の上端縁部にて構成される。なお、これら段部２５は、図１，２に示すように、仕切板１８により仕切られた箱本体部７内の広い空間１９Ａ側に配設される。
【００２８】
次に中板２７は、仕切板１８にて区切られた広い空間部１９Ａの開口面積と同等の板面を有する所定の厚さの矩形板材より構成される。中板２７の素材は、箱本体部７や仕切板１８と同等の桐材とされる。この中板２７には、上面となる表面２７ａに複数の凹溝２８が形成されている。各凹溝２８は、被収納物である直棒状の線香４０の外径と略同等の深さ及び幅長とされて形成され、中板２７の一側から他側に真直とされ、かつ、各凹溝２８が互いに平行とされて形成される。なお、これら凹溝２８は、中板２７の短辺と平行とされ形成されている。
【００２９】
また、中板２７の各凹溝２８の一端側となる一側縁には、各凹溝２８とともに所定角度の傾斜面２９が形成されている。中板２７の略中央には、指掛け穴３０が穿設されている。この指掛け穴３０は、指が貫通可能な内径とされる。そして、この中板２７は、凹溝２８を上面とし、箱本体部７の両段部２４に支持され、前面部２，背面部４，側面部５，仕切板１８に囲まれて、箱本体部７に取り付けられる。取り付けられた状態では、蓋面部８を閉じた際に、中板２７の上面２７ａが蓋面部８の内面に対向し、近接するようになる。またこの中板２７の下方に、図２，３に示すように、空間部３１が形成される。
【００３０】
次に、上記した収納箱１の製造手順について説明する。
まず、木材層１２となる木材板１６の一方の面である裏面１６ａの全面に、シート状基材１１を積層させるように接着剤にて強固に接着し、一枚板状の板材としてのワークＷを得る（図４（ｂ）参照）。ここでシート状基材１１を、前述したように、紙１４と合成樹脂シート１５とを層状に重合形成したものとして用いる場合には、木材板１６の裏面１６ａに、紙１４を接着し、さらに合成樹脂シート１５を被覆するように接着することとする（図４（ａ）参照）。
【００３１】
接着の際に用いられる接着剤は、木（桐）と紙及び合成樹脂シートである塩化ビニル樹脂とを互いに強固に接着する接着剤とされ、例えば、酢酸ビニルエマルジョン系，エチレン酢ビ系，アクリルエマルジョン系，合成ゴム系，ウレタン系，ユリア系，メラミン系，フェノール系，エポキシ系などの接着剤とされる。
【００３２】
次に、ワークＷは、完成される箱１を展開した面積における、前面部２，底面部３，背面部４，蓋面部８，手掛け部９の各部の合計面積とされ、各部が連続した長さ、及び箱１としての左右幅となる幅長に切断形成される主ワークＷ１と、この主ワークＷ１と別に切断形成され、箱１としての側面部５，６となる側板２１とが切断形成される。
【００３３】
次に、主ワークＷ１を、木材層１２を上面、すなわち加工面として、木工丸鋸盤（図示せず）のテーブル上に載置し、固定して、この木工丸鋸盤を始動させる。この木工丸鋸盤のテーブルは、水平な一方向のみに、所定間隔でスライド移動し、主ワークＷ１を保持した状態で移送させるようになっており、テーブルの移動が止まると、図４（ｃ）に示すように、回転鋸刃Ｃ１が降下して、主ワークＷ１の木材層１２側を切削しながらテーブルの移動方向と直交する方向に移動する。
【００３４】
このとき、回転鋸刃Ｃ１の下降量は、主ワークＷ１の木材層１２のみを切削する距離（深さ）に設定され、すなわち、本実施の形態では、木材層１２の厚さが３ｍｍであれば、これよりもやや短い３ｍｍ未満の切削を行い、シート状基材１１を残し、木材層１２に溝２３を形成するように制御される。
【００３５】
回転鋸刃Ｃ１が主ワークＷ１の幅方向の一側縁から他側縁へ移動し、切削が終わると、この回転鋸刃Ｃ１は上昇し、テーブルが移動し、主ワークＷ１を送り、そして、上記動作が繰り返されて、所定の間隔毎に、すなわち、各面部２，３，４，８，９の間隔毎に木材層１２に溝２３が形成され、図６（ａ），（ｂ）に示すような左右幅方向に互いに平行となる複数の溝２３、本実施の形態では、前面部２，底面部３，背面部４，蓋面部８，手掛け部９の各面部の間となる位置とされることから４本の溝２３を有する主ワークＷ１が出来上がる。
【００３６】
なお、この溝２３の形状は、回転鋸刃Ｃ１の形状で決定され、本実施の形態では周縁形状が９０°の断面略くさび状に形成され設定されている回転鋸刃Ｃ１とされ、溝２３はＶ字形状に形成される。この回転鋸刃Ｃ１については、その刃先を９０°に設定した鋭角なものとしてもよいが、先端縁のみ略水平な平型となる９０°くさび状、或いは、先端縁のみ曲面状の丸型となる９０°くさび状としてもよく、このような先端形状の丸鋸とすれば、木材層１２の切削時にシート状基材１１を傷つけることなく溝２３の形成が行える。
【００３７】
次に、この主ワークＷ１を９０°回転させてテーブルに再び載置し、固定する。テーブルに載置固定された主ワークＷ１は、その左右両側端縁に、この主ワークＷ１の厚さである板厚の幅と略同幅長となるように段落ち部１０が形成される。すなわち、主ワークＷ１の側端縁部分において、図５（ａ），（ｂ）に示すように、回転鋸刃Ｃ２が降下して、主ワークＷ１の木材層１２側を切削しながら移動する。このときの回転鋸刃Ｃ２の下降量は、主ワークＷ１の木材層１２における厚さの１／２〜１／３程度を切削する距離（深さ）に設定され、すなわち、本実施の形態では、木材層１２の厚さが３ｍｍであれば、約１ｍｍの切削を行い、木材層１２に段落ち部１０を形成するように制御される。
【００３８】
回転鋸刃Ｃ２が主ワークＷ１の長さ方向の一側から他側へ移動し、切削が終わると、この回転鋸刃Ｃ２は上昇し、テーブルが移動し、主ワークＷ１を送り、もう一方の側端縁部分の位置まで移動させ、そして、上記動作が繰り返されて切削が行われる。なお、この段落ち部１０は、上記したＶ字状溝２３と同様に、回転鋸刃を用いることで形成されるが、ここでは、周縁形状が中心軸線と平行な断面略矩形状に形成され設定されている回転鋸刃Ｃ２とされ、段落ち部１０は矩形段状に形成される。
【００３９】
なお、上記した木工丸鋸盤による溝２３の形成及び段落ち部１０の形成については、上記した工程順序を逆として、すなわち、段落ち部１０を形成した後、各溝２３を形成する手順としても良い。
【００４０】
上記木工丸鋸盤による切削工程を終えると、図６（ａ），（ｂ）に示すように、シート状基材１１の一方の面１１ａ上の木材層１２は、前面部２，底面部３，背面部４，蓋面部８，手掛け部９の各面部が、４本のＶ字状溝２３にて分割された形状とされるとともに、その左右両側端縁に段落ち部１０が形成された板材１３となる。
【００４１】
なお、上記した各溝２３及び段落ち部１０の形成後、段落ち部１０の外縁部分をサンダーなどを用いてバリなどを除去し、この外縁を滑らかに仕上げることとしても良い。
【００４２】
次に、板材１３の木材層１２に形成された各面部のうち、背面部４と蓋面部８との間のＶ字状溝２３を除く各溝２３に接着剤を塗布し、シート状基材１１を表面として折曲し、すなわち各溝２３の対向面を互いに接着し固定させる。各溝２３は９０°のＶ字状溝であることから、対向する面同士の接着により、各面部２，３，４，８，９が互いに直交した折曲状態で形成され固定される。これにより、この折曲部分の外側が収納箱１としての稜線部分となる。
【００４３】
次に、左右の各側板２１を、前面部２，底面部３，背面部４における幅方向両縁部分の各段落ち部１０に位置させて、接着剤にて接着固定する（図７参照）。これにより、箱本体部７が完成される。
そして、各部を接着した接着剤が固化することで、箱体２０が完成となる。
【００４４】
一方、箱体２０の内部に取り付けられる中板２７は、図示しないが、上述した段落ち部１０を切削形成する回転鋸刃Ｃ２と同等の回転鋸刃が用いられる。すなわち略矩形に切削形成する刃先を備えた回転鋸刃を用いて、中板２７となるワークを加工する。ワークの大きさは、上述した箱体２０に対応する大きさに予め切断され形成されていてもよく、或いは以下に示す加工を先に施すこととした十分な大きさの面積を備えた板材としてもよく、箱体２０の板厚に比べて十分に厚みのあるもの、例えば約６ｍｍの厚さの板材などを用いる。回転鋸刃の刃先の幅長は、線香４０の外径約２〜２．５ｍｍと略同等かやや大きい幅長とされ、また、切削時の降下量も線香４０の外径と略同等かやや大きく設定される。そして、ワークに対してその板面を真直に切削加工を行い、かつ、切削方向と直交する方向に所定ピッチ毎平行移動して、これによりワーク表面に凹溝２８を複数、互いに平行に切削形成させる。
【００４５】
また、ワークの一側縁を斜めに、例えば、板面に対して約２０°の勾配として切り落とすように切削加工を行い傾斜面２９を形成させる。さらに、ワークの略中央に、指が貫通可能な穴をホールソーなどを用いて穿設し、指掛け穴３０を形成させる。
その後、バリとりなどを行い、中板２７が完成される。
なお、凹溝２８の形成、傾斜面２９の形成、指掛け穴３０の形成のいずれも、上記した順序に限定されることはなく、その順序を変えてもよい。
【００４６】
次に、上記箱体２０とは別途形成される仕切板１８、及び各段部２４を構成する一対の板材２５，２５を、箱本体部７の内部に接着固定する。各板材２５は、前面部２と背面部４の対向内面に、下端縁を底面部３に当接状態で接着固定される。また、仕切板１８は、前面部２，背面部４と底面部３の各内面に接着剤が塗布され固定される。
そして、各部の接着剤が固化したのち、中板２７を嵌め、収納箱１が完成となる。
なお、中板２７は接着固定せずに、脱着が可能に構成される。
【００４７】
従って、このように構成された収納箱１は、箱体の構成として、シート状基材１１の化粧シート（合成樹脂シート）１５が外表面となり、この化粧シート１５による意匠性を持った箱となる。また、この収納箱１の内部は、木材層１２である桐材、及び同桐材で形成された中板２７、仕切板１８により構成され、その天然素材である木目を活かした箱内部となる。
【００４８】
蓋面部８は、背面部４との境に形成されたＶ字状の溝２３により、折曲可能となり、箱本体部７に対して開閉が自在なものとなる。蓋面部８の閉鎖状態では、上記したように、蓋面部８の両側端縁に形成される段落ち部１０が、左右両側面部５，６の上端縁５ａ，６ａに当接し、これら段落ち部１０の間となる厚板部分が両側面部５，６間に嵌まり、すなわち内嵌め状態となって、密閉状態となる。また、手掛け部９が前面部２の外側に位置し、この前面部２の外表面に、手掛け部９の内面側が密着状態となる。
【００４９】
このような収納箱１によれば、各面部の構成が、木材板１６よりなる木材層１２を備えた構造であることから、十分な剛性を有しており、積み重ねるような場合でも、変形や破損などを起こしにくく、保管性に優れる効果がある。また、蓋面部８を有し、この蓋面部８が箱本体部７に対して内嵌め状に閉鎖することが可能であることから、十分な密閉性を有することとなる。
【００５０】
さらに、前面部２，底面部３，背面部４，蓋面部８，手掛け部９の各部が１枚の板材１３より得られ、これら各部が、シート状基材１１にて連結状態であることから、各部の端縁部分における接着時に精密さを必要とせずに各面が形成でき、製造し易く、特に蓋面部８においては、蝶番などの別部材を用いずに開閉自在な構成を得られることから、容易に、かつ安価に箱を得ることが可能となる。
【００５１】
また、木材層１２を構成する木材板１６を桐材で構成したことで、単なる箱ではなく、高級感を醸し出す化粧箱として構成でき、線香４０の収納箱として最適となる。さらに、この木材板１６を桐材としたことで、桐材の特性である吸湿，排湿の作用が働き、適度な湿度を保った保管を行うことが可能となる。
【００５２】
そして、この収納箱１内の中板２７には、各凹溝２８に直棒状の線香４０が一本ずつ個別に収容される。各凹溝２８内においては、線香４０の一端４０ａが、傾斜面２９より突出して収容状態となる。このように収容された線香４０は、容易に折れて破損となることがなく、整然と並べられ、中板２７の素材である桐材により高級感を醸しだすこととなる。
また、中板２７の下方には、空間部３１を備えており、この空間部３１には、予備の線香４０を収容可能であり、或いはロウソクやマッチなども収容可能である。
さらに、仕切板１８にて仕切られた、別の空間部分にも、図１に示すようなライター４１やマッチなどを収容可能である。
【００５３】
収容された線香４０の取り出しの際には、蓋面部８を開放した後、線香４０の一端４０ａを、図８に示すように、指Ｆの先にて板面方向に押さえることで、線香４０の他端４０ｂが浮き上がり、これにより取り出しが可能となる。すなわち、中板２７の一側縁に形成した傾斜面２９により、凹溝２８から突出した線香４０の一端４０ａが指Ｆによって下方に押され、これにより他端４０ｂが浮き上がることとなる。そして、中板２７に形成される凹溝２８が、所定間隔毎に形成されることから、一本の線香４０のみが浮き上がり、その一本だけを摘み取ることが可能となり、取り出し易いこととなる。
【００５４】
また、各凹溝２８に収容された各線香４０を全て使用してしまった後には、中板２７の略中央にある指掛け穴３０に指Ｆを差し込んで掛け、引きあげることでこの中板２７を取り外すことができ、中板２７下方の空間部３１に収容された予備の線香４０（図３参照）を取り出すことが可能となる。そして取り出した線香４０を各凹溝２８に収容させる。
【００５５】
なお、上述した実施の形態では、手掛け部９を蓋面部８の手前側に折曲状態で形成し、前面部２の外側に位置する構成とした例について述べたが、この手掛け部９を、図９に示すように、閉鎖時に前面部２と略面一な位置となる構成としてもよい。この場合、手掛け部９の高さに対応させて、その内面側となる箱内部に、補助板３５を設け、手掛け部９の内面と当接可能とする。また、段部２４を構成する板材２５は、この補助板３５の内面に沿わせて接着固定となる。
この収納箱１によれば、上述した効果に加え、手掛け部９が箱前面に突出することがなく、意匠性が向上する。
【００５６】
また、上述した実施の形態では、中板２７に傾斜面２９を一側縁に形成し、線香４０の一端４０ａを突出させ、また、各凹溝２８を、中板２７の短辺側に平行として形成する構成とした例について述べたが、図１０に示すように、各凹溝２８を中板２７の長辺側に平行となるように形成し、両側縁のそれぞれに傾斜面２９を形成させる構成としてもよい。このような構成とすることで、長尺な線香４０を収容可能となり、或いは、短尺な線香４０を長手方向に２本並べて収容可能となる。そして、この中板２７によれば、両側縁にそれぞれ傾斜面２９を備えた構成であることから、どちらからでも線香４０に対して指Ｆにて浮き上がらせることができ、利き手に関わらずに線香４０を取り出しやすくできる効果を得られる。また、このような中板２７とした場合に、指掛け穴３０を略中央に２つ並べて穿設させる。この指掛け穴３０によれば、中板２７が上述した例のものに比べ大きく形成されることから、例えば親指と人指し指の２本の指を用いることで、箱体２０から容易に取り外すことが可能となる。
【００５７】
さらに、上述した実施の形態では、蓋面部８が、箱本体部７に対して、背面部４との境に形成されたＶ字状の溝２３により折曲可能となって、開閉自在な構成とされ、すなわち箱本体部７と一体な構造とされた例について述べたが、図１１に示すように、箱本体部７と蓋面部８とを別体に構成し、開閉自在な構成とすることとしても良い。
この蓋面部８と箱本体部７とが別体構成の収納箱１としては、印籠箱式とし、箱本体部７に対して蓋面部８が正確に嵌め合うような構造とすれば、隙間なく閉塞が可能となり、密閉性を備えた箱となる。特に素材として桐材を用い、上述したようなシート状基材を使用せずに桐材のみで構成させることで、高級感のある収納箱１を得ることが可能となる。
【００５８】
なお、図１１に示すように、箱体２０内の仕切板１８を複数で構成し、段部２４をそれぞれ設け、中板２７を２枚で構成することで、例えば香りの異なる２種類の短尺な線香４０などを収容できることとなる。
【００５９】
また、中板２７に形成する各凹溝２８を、互いに平行な構成のみではなく、縦横の格子状に形成させることで、長短いずれの線香４０にも対応できる中板２７を得ることができる。
【００６０】
さらに、上述した実施の形態では、木材層１２を構成する木材板１６を、桐材より構成した例について述べたが、この木材板は、その他の木材よりなる板材にて構成してもよく、例えば、ヒノキや、ヒバ，スギ，サクラ，マツ，ケヤキ，コクタン，シタンなどの天然木材、或いは合板などを用いる構成としてもよい。このような天然木材や合板とすれば、適度な湿度調整の機能、保温性などの機能を備えた箱となる。
【００６１】
また、上述した実施の形態では、シート状基材１１を、紙１４と塩化ビニル樹脂製シート（合成樹脂シート）１５とを層状に構成させた素材を用いた例について述べたが、その他の樹脂製シート、例えば、オレフィン系樹脂シートやポリエチレン系樹脂シートなどを用いた構成としてもよい。特に、このような合成樹脂シートとすれば、着色などの加工も容易であり、デザイン性を向上させることも可能であり、また、透明樹脂シートとすれば、木材層１２を透かして見ることを可能とする構成や、或いは、層状に構成される紙に印刷された模様などを活かすこともでき、意匠性の得られる収納箱を構成することが可能となる。
【００６２】
さらに、このシート状基材１１としては、和紙などを用いてもよく、このような和紙であれば、染めや印刷による意匠性を容易に得られ、また、素材として十分な強度を備えるとともに手触りや風合いなどの良好な外表面の箱を得ることが可能となる。すなわち、単なる収納箱としての機能に加え、化粧の施された収納箱として構成することが可能となる。
【００６３】
また、シート状基材１１として、織布などの布を用いて構成してもよく、例えば、その素材として、綿，羊毛，絹，麻，レーヨン，アセテート，ナイロン，アクリル，ポリエステルなど種々の繊維よりなる布、或いは不織布などを用いてもよい。なお、このような布を用いる場合に、その素材の性質として、伸縮性を有する布である場合には、上記した紙との組み合わせでシート状基材１１とし、構成することで、その布の風合いなどを備えた収納箱１を得ることが可能となる。また、繊維に防炎機能や防水機能を持たせることで、防炎性や防水性を備える収納箱を得ることも可能である。
【００６４】
さらに、このシート状基材１１としては、上記した素材のほかに、皮革や合成皮革などを用いて構成することとしてもよい。
【００６５】
また、上述した実施の形態では、箱体２０の内面を、木材層１２である木材板１６にて構成される例について述べたが、この箱内面に、不織布を貼着させるなどして被覆し、構成することとしてもよい。このような構成とすることで、箱の内面に高級感を付加することが可能となる。
【００６６】
【考案の効果】
以上説明したように本考案による収納箱では、収納箱内に、直棒状の線香が一本ずつ個別となって収容される凹溝を複数有し、かつ、これら凹溝の一側縁を傾斜面に形成した中板を設ける構成としたので、各凹溝内に収容された線香が、整然と並べられる収容状態となる。そして、各凹溝に収容された線香を取り出す際には、蓋面部を開放した後、線香の一端を、指の先にて板面方向に押さえることで、線香の他端が浮き上がることとなり、これにより取り出しが可能となる。すなわち、中板の一側縁に形成した傾斜面により、凹溝の端部から突出した線香の一端が指によって下方に押されることで、他端が浮き上がることとなる。そして、中板から一本の線香のみが浮き上がり、その一本だけを摘み取ることが可能となり、取り出し易いこととなる。また、このように一本を選択して取り出せることから、他の線香が容易に折れて破損となることがない。
【００６７】
また、段部を備えた構成とすることにより、中板が箱内の底面より浮いた状態となり、中板の下方には、空間部が設けられ、この空間部には、予備の線香を収容可能であり、或いはロウソク、ライター、マッチなども収容を可能とする。
【００６８】
さらに、この収納箱によれば、各面部の構成が、木材板よりなる構造であることから、十分な剛性を有した構造となり、箱自体を積み重ねるような場合でも、変形や破損などを起こしにくく、保管性に優れる箱を得ることができる。
【００６９】
また、シート状基材を用いた構成とすることで、このシート状基材が外表面となり、このシート状基材にデザイン等が施すことで意匠性を持った箱を得ることが可能となる。さらに、箱の内面は、木材層であることから、その天然素材である木目を活かした箱内面となる。
【００７０】
さらに、蓋面部が、背面部との境に形成されたＶ字状の溝により、折曲可能となり、箱本体部に対して開閉が自在なものとなり、この蓋面部の閉鎖状態では、蓋面部の両側端縁に形成される段落ち部が、左右両側面部の上端縁に当接し、これら段落ち部の間となる厚板部分が両側面部間に嵌まり、すなわち内嵌め状態となって、閉鎖されることから、十分な密閉性を有することとなる。
【００７１】
また、手掛け部を前面部の外側に位置する構成とすることで、この前面部の外表面に、手掛け部の内面側が密着状態となり、閉鎖状態の保持が行える。さらにこの手掛け部によれば、前面部の外側に位置するので、蓋面部の開放時に容易に指を掛けて開放操作を行うことが可能となる。
【００７２】
さらに、前面部，底面部，背面部，蓋面部及び手掛け部の各部が１枚の板材より得られ、これら各部が、シート状基材にて連結状態であることから、各部の端縁部分における接着時に精密さを必要とせずに各面が形成でき、製造し易く、特に蓋面部においては、蝶番などの別部材を用いずに開閉自在な構成を得られることから、容易に、かつ安価に箱を得ることが可能となる。
【００７３】
また、手掛け部を、蓋面部閉鎖時に前面部と略面一な位置となる構成とすれば、手掛け部が箱前面に突出することがなく、意匠性を向上させることができる。
【００７４】
また、シート状基材を、和紙や布などで構成することで、箱としての外表面が風合いなど良好なものとなり、単なる箱としての機能に加え、化粧箱として構成することが可能となる。
【００７５】
さらに、木材板を桐材で構成したことで、収納箱として高級感を醸しだす効果を得られ、さらには桐材の特性である吸湿，排湿の作用が働き、適度な湿度を保った保管を行うことが可能となる。
【００７６】
また、箱内部に仕切板を設ける構成とすることで、この箱内部を所定数に分割構成することができ、線香以外に、例えば、ロウソクやライター，マッチなど、線香を使用する際に用いるその他の品物を同時に収容できる。
【００７７】
さらに、中板の略中央に指掛け穴を穿設することで、この指掛け穴に指を差し込んで掛け、引きあげることでこの中板を取り外すことができ、中板下方の空間部に収容された予備の線香等を取り出すことが可能となる。
【図面の簡単な説明】
【図１】本考案による収納箱の一実施の形態を示す斜視図である。
【図２】同箱の側断面図である。
【図３】同箱の正断面図である。
【図４】同実施の形態における板材の製作手順を示す工程図である。
【図５】同実施の形態における板材の製作手順を示す工程図である。
【図６】板材の平面図を（ａ）に、同板材の側面図を（ｂ）に示した図である。
【図７】同実施の形態における板材の製作手順を示す工程斜視図である。
【図８】同収納箱の使用状態を示す側断面図である。
【図９】他の実施の形態を示す箱の側断面図である。
【図１０】他の実施の形態を示す箱の斜視図である。
【図１１】他の実施の形態を示す箱の斜視図である。
【符号の説明】
１…収納箱
２…前面部
３…底面部
４…背面部
７…箱本体部
８…蓋面部
９…手掛け部
１０…段落ち部
１１…シート状基材
１２…木材層
１３…板材
１６…木材板
１８…仕切板
２０…箱体
２１…側板
２３…溝
２４…段部
２７…中板
２８…凹溝
２９…傾斜面
３０…指掛け穴
３１…空間部
４０…線香
４０ａ…一端
【図１】
0003098910.tif 000003
【図２】
0003098910.tif 000004
【図３】
0003098910.tif 000005
【図４】
0003098910.tif 000006
【図５】
0003098910.tif 000007
【図６】
0003098910.tif 000008
【図７】
0003098910.tif 000009
【図８】
0003098910.tif 000010
【図９】
0003098910.tif 000011
【図１０】
0003098910.tif 000012
【図１１】
0003098910.tif 000013